(57)【要約】【課題】リングコアの取付け固定用の部材を必要とせず、出力コードのスイッチングノイズが周辺の他の配線に輻射しない、安価で使い易いインバータ圧縮機駆動装置を提供する。【解決手段】圧縮機４７の電気接続端子部を覆うカバー１とインバータ圧縮機駆動装置のケースを一体とし、インバータ圧縮機駆動装置を圧縮機４７に直接取付けるようにして、出力コード４２の長さを最短にすると同時に、出力コード４２に取付けたリングコア６０をカバー１に収納するように構成したものであり、リングコア６０を固定する別部材を必要とせず、出力コード４２が周辺配線に接近しないようにしたものである。【選択図】図１
2013062972.tif 000002
【特許請求の範囲】
【請求項１】
圧縮機と、前記圧縮機に取付けられ、かつ圧縮機の電気接続端子部を覆うカバーと、前記カバー内に収納され、かつ前記圧縮機を駆動するインバータ駆動回路と、前記インバータ駆動回路と前記圧縮機を接続する出力コードと、前記出力コードに取り付けられた焼結フェライト等の磁性材料で成形されたリングコアを具備し、さらに、前記カバーに、前記リングコアを収納固定するリングコア収納部を設けたインバータ圧縮機駆動装置。
【請求項２】
前記リングコア収納部を、前記カバーの側壁とコネクタ接続作業を行う窓部を閉塞する蓋を備える構成とし、前記蓋の前記カバーへの取付けにより、前記リングコアを、前記カバーと前記蓋によって挟持固定した請求項１に記載のインバータ圧縮機駆動装置。
【発明の詳細な説明】
【技術分野】
【０００１】
本発明は、冷蔵庫等に搭載される冷却システムのインバータ圧縮機を駆動するインバータ圧縮機駆動装置に関するものである。
【背景技術】
【０００２】
従来、冷蔵庫等の冷却システムには圧縮機が搭載されており、特に、インバータ圧縮機においては、その駆動装置が必要であるが、インバータ圧縮機の駆動装置は高速スイッチング動作を行うため、スイッチングノイズを発生させる。
【０００３】
スイッチングノイズの大きさは安全規格で規制されているため、スイッチングノイズを低減する手段として、インバータ駆動装置と圧縮機を電気接続するコードに焼結フェライト等の磁性材料で成形されたリングコアを取付ける方法が知られている（例えば、特許文献１参照）。
【０００４】
以下、図面を参照しながら上記従来のインバータ圧縮機駆動装置について説明する。
【０００５】
図４は、特許文献１に記載された従来のインバータ圧縮機駆動装置の斜視図である。
【０００６】
図４において、圧縮機１００の側面に、ブラケット１００ａおよび電気接続用の接続端子１００ｂを有している。
【０００７】
圧縮機駆動装置１０４は、内部にスイッチング回路を持ち、そのスイッチング動作により圧縮機１００を駆動する。
【０００８】
カバー１０８は、ブラケット１００ａと嵌合して接続端子１００ｂのある電気接続部を覆う防滴・感電防止構造を成している。
【０００９】
出力コード１１２は、圧縮機１００とインバータ圧縮機駆動装置１０４を電気接続するものであり、圧縮機１００側の端に電気接続用のコネクタであるクラスタブロック１１６を有している。
【００１０】
焼結フェライト等の磁性材料でリング状に成形されたリングコア１２０は、中央の穴部を出力コード１１２が貫通している。また、リングコア１２０は固定用部材１２４およびネジ１２８で周囲の筐体に固定される。
【００１１】
以上のように構成されたインバータ圧縮機駆動装置について、以下その動作を説明する。
【００１２】
インバータ圧縮機駆動装置１０４は、内部のスイッチング回路を動作させ、出力コード１１２およびクラスタブロック１１６を介して圧縮機１００に通電させることにより、圧縮機１００を所望の回転数にて回転させるように制御する。
【００１３】
出力コード１１２には、インバータ圧縮機駆動装置のスイッチング動作により高周波のノイズが乗ることになるが、出力コード１１２には、リングコア１２０が取付けられているため、それにより高周波インピーダンスが増加され、高周波信号が熱に変換されることにより、スイッチングノイズが低減される。
【００１４】
以上のような動作により、インバータ圧縮機駆動装置１０４は、スイッチングノイズを低減しながら、圧縮機１００を回転制御している。
【先行技術文献】
【特許文献】
【００１５】
【特許文献１】特開２００１−１５５９２５号公報
【発明の概要】
【発明が解決しようとする課題】
【００１６】
しかしながら、上記従来の構成では、リングコア１２０の取付け固定に固定用部材１２４およびネジ１２８の部材が必要となり、その取付け工数も必要となる。加えて、リングコア１２０により低減されているというものの、出力コード１１２にはスイッチングノイズが乗っているため、出力コード１１２と周辺の配線が接近する場合などには、スイッチングノイズが他の周辺配線に輻射してしまうため、出力コード１１２は、他の周辺配線と距離を置いて配置しなければならないという課題を有していた。
【００１７】
本発明は、上記従来の課題を解決するもので、スイッチングノイズを低減することができ、配線仕様に制約を受けず、且つ、組立て工数も低減できるインバータ圧縮機駆動装置を提供することを目的としている。
【課題を解決するための手段】
【００１８】
上記従来の課題を解決するために、本発明のインバータ圧縮機駆動装置は、圧縮機の電気接続端子部を覆うカバーとインバータ圧縮機駆動装置のケースを一体とし、インバータ圧縮機駆動装置を圧縮機に直接取付けるようにして、出力コードの長さを最短にすると同時に、出力コードに取付けたリングコアをカバーに収納するように構成したものである。
【００１９】
これによって、スイッチングノイズを低減するためのリングコアを固定する別部材を必要とせず、また、出力コードが周辺配線に接近しないようにすることができるので、周辺の配線仕様に制約を及ぼすことがなくなる。
【発明の効果】
【００２０】
本発明のインバータ圧縮機駆動装置は、リングコアを固定する別部材を必要とせず、出力コードが周辺配線に接近しないようにしたものであるから、スイッチングノイズを低減しながら、リングコアが容易に取付けられ、周辺の配線仕様に制約を及ぼすこともなく、安価で使い易いインバータ圧縮機駆動装置を提供することができる。
【図面の簡単な説明】
【００２１】
【図１】本発明の実施の形態１におけるインバータ圧縮機駆動装置の分解斜視図
【図２】同実施の形態１におけるインバータ圧縮機駆動装置の斜視図
【図３】同実施の形態１におけるインバータ圧縮機駆動装置の側面図
【図４】従来のインバータ圧縮機駆動装置の斜視図
【発明を実施するための形態】
【００２２】
請求項１に記載の発明は、圧縮機と、前記圧縮機に取付けられ、かつ圧縮機の電気接続端子部を覆うカバーと、前記カバー内に収納され、かつ前記圧縮機を駆動するインバータ駆動回路と、前記インバータ駆動回路と前記圧縮機を接続する出力コードと、前記出力コードに取り付けられた焼結フェライト等の磁性材料で成形されたリングコアを具備し、さらに、前記カバーに、前記リングコアを収納固定するリングコア収納部を設けたものである。
【００２３】
これによって、スイッチングノイズを低減しながら、出力コードの長さを最短にし、出力コードが周辺配線に接近しないようにでき、周辺の配線仕様に制約を及ぼさない、使い易いインバータ圧縮機駆動装置を提供することができる。
【００２４】
請求項２に記載の発明は、請求項１に記載の発明において、前記リングコア収納部を、前記カバーの側壁とコネクタ接続作業を行う窓部を閉塞する蓋を備える構成とし、前記蓋の前記カバーへの取付けにより、前記リングコアを、前記カバーと前記蓋によって挟持固定したものである。
【００２５】
これによって、リングコアを固定する別部材を必要とせず、リングコアの取付けを容易とし、安価、かつ組立て性の良いインバータ圧縮機駆動装置を提供することができる。
【００２６】
以下、本発明の実施の形態について、図面を参照しながら説明する。なお、この実施の形態によってこの発明が限定されるものではない。
【００２７】
（実施の形態１）
図１は、本発明の実施の形態１におけるインバータ圧縮機駆動装置の分解斜視図、図２は、同実施の形態１におけるインバータ圧縮機駆動装置の斜視図、図３は、同実施の形態１におけるインバータ圧縮機駆動装置の側面図である。
【００２８】
図１から図３において、変性ポリフェニレンエーテル樹脂等の樹脂により射出成形されたカバー１には、内部にインバータ駆動回路であるプリント基板５が収納できるように、プリント基板５の大きさに対して若干大きい開口部９を有している。
【００２９】
プリント基板５は、ガラス布・ガラス不織布エポキシ樹脂に銅箔パターンが表面に形成されており、複数の電子部品がはんだ付け実装されることにより、インバータ駆動回路を形成している。また、プリント基板５には、接続用のコネクタ１３およびコネクタ１４も実装されており、４箇所の角部には複数の基板取り付け穴５ａが設けられている。
【００３０】
カバー１には、コネクタ１３およびコネクタ１４からのコードを引き出すための窓部（開口）１７が形成されており、コードを引き出し作業の後、蓋１１を取り付けすることによって閉口されるようになっている。
【００３１】
カバー１の内部４箇所には、開口部９に向かって突出した突出部１ａが一体成型されて設けられており、この突出部１ａには、空洞部を備えた筒状のゴムブッシュ１９が突出部１ａをゴムブッシュ１９の空洞部に嵌め込むように、それぞれ取り付けられている。
【００３２】
突出部１ａの高さは、ゴムブッシュ１９の高さよりも高く、先端がゴムブッシュ１９より突出するようになっており、この突出した部分がプリント基板５の基板取り付け穴５ａに嵌るようになっている。また、このゴムブッシュ１９は、プリント基板５をカバー１に収納取付けた状態で、カバー１とプリント基板５によって挟み込まれている。
【００３３】
カバー１の開口部９のそれぞれの角部には、取付け穴１ｂが開けられているほか、プレス加工されたアルミ合金製のアルミ板２１の角部には、孔２１ａが開けられており、アルミ板固定用ネジ２５にてアルミ板２１をカバー１に固定して、開口部９を閉塞するようになっている。
【００３４】
アルミ板２１の内側面に密着して絶縁シート２９が（例えば、２枚重ねられて）固定ネジ３１にて取り付けられているが、この絶縁シート２９は、安全規格を満足する電気絶縁性能（たとえば、１７５０Ｖ、１分間の絶縁耐力試験に耐える）を持っている。
【００３５】
プリント基板５には、インバータ駆動回路の駆動半導体である圧縮機駆等動用のＩＰＭ（インテリジェントパワーモジュール）等である半導体素子５ｂが実装されているが、半導体素子５ｂだけは、コネクタ１３等の他の部品とは反対側のアルミ板２１と対向する実装面に実装されている。
【００３６】
半導体素子５ｂは、絶縁シート２９が取り付けられたアルミ板２１と密着しており、アルミ板２１をカバー１に取付けることによって、プリント基板５がゴムブッシュ１９を圧縮状態にしている。
【００３７】
密閉型の圧縮機４７の外郭には、接続端子４７ａを有するほか、金属板を折り曲げ加工したブラケット５１が溶接により取付けられており、インバータ駆動回路であるプリント基板を収納するカバー１の底部がブラケット５１と向き合う方向で、カバー１の取付け穴１ｃをブラケット５１のネジ穴５１ａに取り付けネジ５５によって固定されることによって、圧縮機４７に取り付けられている。
【００３８】
圧縮機４７の電気接続端子部である接続端子４７ａは、カバー１とブラケット５１により囲われており、防滴・感電防止構造を構成している。
【００３９】
出力コード４２のプリント基板５側は、コネクタ１４によりプリント基板５の出力部に接続されている。また、圧縮機４７側には、接続用のクラスタブロック４０が取付けられており、カバー１の底部に設けられた取り出し穴１ｄからカバー１の外部に出て、圧縮機４７の接続端子４７ａに接続される。
【００４０】
また、出力コード４２には、スイッチングノイズの低減のため、焼結フェライト等の磁性材料でリング状に成形されたリングコア６０が取付けられている。
【００４１】
リングコア６０は、出力コード４２がリングコア６０の中央の穴部を貫通した状態でカバー１側壁のリングコア収納部１ｅに配置されており、カバー１の窓部１７を蓋１１で閉塞し、ネジ６４にて固定することにより、カバー１と蓋１１により挟まれてリングコア収納部１ｅに密着して取付けられている。
【００４２】
また、出力コード４２は、カバー１内のみに収納されるようになっている。
【００４３】
電源コード４４は、コネクタ１３にてプリント基板５に接続されるとともに、反対側は外部の電源へ接続され、プリント基板５に電源を供給している。
【００４４】
以上のように構成されたインバータ圧縮機駆動装置について、以下その動作、作用を説明する。
【００４５】
インバータ駆動回路であるプリント基板５は、電源コード４４から電源が供給され、プリント基板５内の回路で整流されたＤＣ電源を半導体素子５ｂでスイッチングし、出力コード４２で圧縮機４７に供給することにより、圧縮機４７を所望の回転数で運転する。
【００４６】
したがって、出力コード４２に不必要なスイッチングノイズが乗ることになるが、出力コード４２には、リングコア６０が取付けられているため、出力コード４２の高周波インピーダンスが増加され、高周波信号が熱に変換されることにより、スイッチングノイズは低減される。
【００４７】
ここでリングコア６０は、カバー１のリングコア収納部１ｅに蓋１１で圧接して取付け
られているため、圧縮機４７の振動が加わったとしても、カバー１とぶつかって破損することはない。
【００４８】
ところで、半導体素子５ｂがスイッチング動作を行い、圧縮機４７を駆動すると、半導体素子５ｂは発熱するが、その発熱は密着しているアルミ板２１へ熱伝達し、カバー１の外部へと放熱されるようになっている。
【００４９】
以上のように、本実施の形態においては、出力コード４２の長さが最短で、カバー１内のみに収納されているため、周辺の配線に接近しないようになっており、スイッチングノイズに起因する周辺の配線仕様への制約を無くせるという効果があり、使い易いインバータ圧縮機駆動装置を提供することができる。
【００５０】
また、出力コード４２に取付けたリングコア６０をカバー１に収納し、蓋１１で固定するようにしているため、リングコア６０を固定する別部材を必要とせず、リングコア６０が容易に取付けられるという効果があり、安価なインバータ圧縮機駆動装置を提供することができる。
【産業上の利用可能性】
【００５１】
以上のように、本発明にかかるインバータ圧縮機駆動装置は、リングコアを固定する別部材を必要とせずにリングコアが容易に取付けられるとともに、スイッチングノイズに起因する周辺の配線仕様への制約を無くすことができるので、リングコアを使用した他の電力制御機器、家庭電化機器などにも適用することができる。
【符号の説明】
【００５２】
１  カバー
１ｅ  リングコア収納部
５  プリント基板（インバータ駆動回路）
１１  蓋
１７  窓部
４２  出力コード
４７  圧縮機
４７ａ  接続端子（電気接続端子部）
６０  リングコア
【図１】
2013062972.tif 000003
【図２】
2013062972.tif 000004
【図３】
2013062972.tif 000005
【図４】
2013062972.tif 000006